(57)【要約】【課題】ニースペース部分の収納部への物品の収納及び取り出しが容易なニースペース付きキャビネットを提供する。【解決手段】カウンター１ａに備えるシンク１ｂ下側のキャビネット１の手前側に設けられたニースペースＡ奥部の収納を、手前側に引き出し自在とした引出し２の収納とする。【選択図】　図１
2004113481.tif 000002
【特許請求の範囲】
【請求項１】
カウンターに備えるシンク下側のキャビネットの手前側にニースペースを設けてなるキャビネットであって、上記ニースペースの奥部に引出しを設けてなるニースペース付きキャビネット。
【請求項２】
引出しの背板部分に、手前側に凹ませた形状の凹部が設けられ、この凹部の部分を配管が挿通するようにしてなる請求項１記載のニースペース付きキャビネット。
【請求項３】
ニースペースの上方側に設けられた幕板を、ニースペースの凹みにあわせて内側に傾斜させてなる請求項１又は請求項２記載のニースペース付きキャビネット。
【請求項４】
ニースペースが設けられた側の端部に位置するキャビネットの側板を、キャビネットの他端部側の側板よりも奥行寸法を短く形成してなる請求項１〜請求項３のいずれかに記載のニースペース付きキャビネット。
【発明の詳細な説明】
【０００１】
【発明の属する技術分野】
本発明は、カウンターに備えたシンク下側のキャビネットにニースペースを設けた洗面台や流し台等のニースペース付きキャビネットに関する。
【０００２】
【従来の技術】
従来、この種のキャビネットとして、キャビネットの前面側に設けたニースペースの奥部に、開き扉を備えた収納部を設けるようにした厨房家具（例えば、特許文献１参照）や、ニースペース奥の収納部の前面に、上下にスライドして開閉するシャッター扉を設けるようにしたキッチンキャビネット（例えば、特許文献２参照）が知られている。
【０００３】
【特許文献１】
特開平８−１４０７５９号公報（第１−３頁、図１、図２）
【特許文献２】
特開平９−５１８２２号公報（第１−３頁、図１）
【０００４】
しかし、従来の技術で述べたようにニースペース奥の収納部に開き扉を設けたものやシャッター扉を設けたものいずれにおいても、開き扉やシャッター扉はキャビネットの奥まった位置にあるため、これらの開閉作業やニースペース奥の収納部への物品の出し入れに際しては、姿勢を低くしなければならず物品の出し入れ作業がしにくく、また、収納部の奥の物品が取り出しにくいという問題点を有していた。
【０００５】
【発明が解決しようとする課題】
本発明は、ニースペース部分の収納部への物品の収納及び取り出しが容易なニースペース付きキャビネットを提供しようとするものである。
【０００６】
【課題を解決するための手段】
本発明は、次のものに関する。
（１）カウンターに備えるシンク下側のキャビネットの手前側にニースペースを設けてなるキャビネットであって、上記ニースペースの奥部に引出しを設けてなるニースペース付きキャビネット。
（２）引出しの背板部分に、手前側に凹ませた形状の凹部が設けられ、この凹部の部分を配管が挿通するようにしてなる上記（１）記載のニースペース付きキャビネット。
（３）ニースペースの上方側に設けられた幕板を、ニースペースの凹みにあわせて内側に傾斜させてなる上記（１）又は（２）記載のニースペース付きキャビネット。
（４）ニースペースが設けられた側の端部に位置するキャビネットの側板を、キャビネットの他端部側の側板よりも奥行寸法を短く形成してなる上記（１）〜（３）のいずれかに記載のニースペース付きキャビネット。
【０００７】
【発明の実施の形態】
ニースペース付きキャビネットとして、間口寸法が１２００ｍｍ〜１３５０ｍｍ程度の洗面台の場合で、キャビネットの奥行寸法としては５００ｍｍ〜６５０ｍｍ程度、シンク下のニースペースの間口寸法は９００ｍｍ程度、ニースペースの奥行寸法は１００ｍｍ〜１５０ｍｍ程度の寸法に形成される。
このキャビネットの上にシンク（水槽）を備えるカウンターが取付けられる。
【０００８】
ニースペースの奥部に設けて手前側に引き出せる引出しは、引出し前板、左右の側板、背板及び底板とで箱状に形成される。この引出しはカウンターに備えたシンクの下方に位置することになるため、シンクに接続される排水管やカウンターに装着される水栓への給水・給湯などの配管が引出しの背面側部分に位置することになる。従って、引出しの奥行寸法を上記配管の手前側までにすると引出しの奥行寸法が短くなって収納スペースが少なくなる。このため、引出しの奥行寸法をできるだけ大きくし且つ上記配管を避けるため、引出しの背板部分には、手前側に凹ませた形状の凹部を設けて、この凹部の部分を上記の配管が挿通するようにするのが好ましい。
【０００９】
ニースペース上部にシンクの前面側を覆ってキャビネットに設けられる幕板は、ニースペース奥の引出しを引き出したときに引出しの上方より奥側の収納物が見やすいように、幕板の下端が引出しの前板上端部分に位置するように奥側に向けて傾斜させて設けるのが好ましい。
【００１０】
また、ニースペースを設けた側の端部に位置するキャビネットの側板は、ニースペース奥部の引出しを引き出しときに引出しの側面側からも収納物が取り出せるように、側板の奥行を他端部の側板よりも短く形成するのが好ましい。
【実施例】
【００１１】
以下、本発明によるニースペース付きキャビネットの実施例を図１乃至図３を用いて説明する。
図１は本発明の実施例として洗面台のニースペース付きキャビネットの斜視図、図２は図１の要部縦断面図、図３は図１及び図２中におけるニースペース奥部の引出しの平面図である。
図１において、ニースペース付きキャビネットは、シンク１ｂを備える間口寸法１２００ｍｍ、奥行寸法６００ｍｍのカウンター１ａと、左右の側板１ｄ，１ｅ、前面右側の三段式の引出し、及び上記カウンター１ａのシンク１ｂ下側部分にニースペースＡが形成され、ニースペースＡの上方前面にシンク１ｂの前面側を覆う幕板１ｃ、上記ニースペースＡの奥部に引き出し自在とする引出し２を設けたキャビネット１から構成される。
【００１２】
図２に示すように、ニースペースＡの奥部に設ける引出し２は、引出し２における前板２ａの前面側が、キャビネット１の前面右側に設けられた三段式の引出しの前面側よりも１５０ｍｍ奥まった位置に設けられている。また、キャビネット１の前面上部の幕板１ｃは、引出し２を引き出したときに上方から引出し２奥側の収納物が見やすいように、幕板１ｃの下端が引出し２の前板２ａの上端部分に位置するように奥側に向けて傾斜するように設けている。
【００１３】
上記の引出し２は、図３に示すように前板２ａ、側レール（左）２ｂ及び側レール（右）２ｃ、底板２ｄ、左右の背板２ｅ，２ｅ及び中央の背板２ｆとで箱状に構成しており、引出し２の底板２ｄに、幅約４５０ｍｍ、奥行約２００ｍｍ程度の切り欠きを設けた上で、この切り欠き部分の左側の背板２ｅと右側の背板２ｅの間にコの字形の凹部３ａを設けた形状の中央の脊板２ｆを設けて、この脊板２ｆの凹部３ａ部分を図２に示すように排水管４が挿通するようにした。
【００１４】
【発明の効果】
本発明によれば、キャビネットの手前側に設けられたニースペースの奥部に引出しを設けているため、引出しの収納部分から収納物を取り出す際に姿勢を低くすることなく引き出すだけで取り出すことができ、ニースペース奥の収納部分が使い易い。
【図面の簡単な説明】
【図１】本発明の実施例によるニースペース付きキャビネット斜視図である。
【図２】図１の要部縦断面図である。
【図３】ニースペースに設ける引出しの平面図である。
【符号の説明】
１　キャビネット　　　　　　　　　　　　１ａ　カウンター
１ｂ　シンク　　　　　　　　　　　　　　　１ｃ　幕板
１ｄ　ニースペース側側板　　　　　　　　１ｅ　他端部側の側板
２　引出し　　　　　　　　　　　　　　　２ａ　前板
２ｂ　側レール（左）　　　　　　　　　　　２ｃ　側レール（右）
２ｄ　底板　　　　　　　　　　　　　　　　２ｅ　背板（左）
２ｅ　背板（右）　　　　　　　　　　　　　２ｆ　脊板（中央）
３　凹部　　　　　　　　　　　　　　　　４　排水管
Ａ　ニースペース
【図１】
2004113481.tif 000003
【図２】
2004113481.tif 000004
【図３】
2004113481.tif 000005